【手続補正書】
【提出日】平成17年3月25日(2005.3.25)
【手続補正１】
【補正対象書類名】明細書
【補正対象項目名】特許請求の範囲
【補正方法】変更
【補正の内容】
【特許請求の範囲】
【請求項１】
三相変圧器を含む電力供給回路において、
前記変圧器の２端子と前記２端子の定格電圧よりも低い単相電圧を供給できる他の回路の対応する２相との間に、前記変圧器の運転停止中に前記変圧器に前記他の回路から単相低圧電圧を一時的に印加するように開閉操作される開閉器、
を備えたことを特徴とする変圧器の励磁突入電流低減回路。
【請求項２】
三相変圧器を含む電力供給回路において、
前記三相変圧器の三角結線側の２端子と前記２端子の定格電圧よりも低い単相電圧を供給できる他の回路の対応する２相との間に、前記三相変圧器の運転停止中に前記三相変圧器に前記他の回路から単相低圧電圧を一時的に印加するように開閉操作される開閉器、
を備えたことを特徴とする変圧器の励磁突入電流低減回路。
【請求項３】
三相変圧器を含む電力供給回路において、
前記三相変圧器の星形結線の短絡された２端子と残りの端子との都合２端子と前記２端子の定格電圧よりも低い単相電圧を供給できる他の回路の対応する２相との間に、前記三相変圧器の運転停止中に前記三相変圧器に前記他の回路から単相低圧電圧を一時的に印加するように開閉操作される開閉器、
を備えたことを特徴とする変圧器の励磁突入電流低減回路。
【請求項４】
前記開閉器は、一方の３端子が前記三相変圧器の星形結線の３端子に接続され、他方の３端子のうち短絡された２端子と残りの端子との都合２端子が前記他の回路の対応する２相に接続されることを特徴とする請求項３に記載の変圧器の励磁突入電流低減回路。
【請求項５】
スコット結線変圧器を含む電力供給回路において、
前記スコット結線変圧器の三相側の２端子と前記三相側の２端子の定格電圧よりも低い単相電圧を供給できる他の回路の対応する２相との間に、前記スコット結線変圧器の運転停止中に前記スコット結線変圧器に前記他の回路から単相低圧電圧を一時的に印加するように開閉操作される開閉器、
を備えたことを特徴とする変圧器の励磁突入電流低減回路。
【請求項６】
スコット結線変圧器を含む電力供給回路において、
前記スコット結線変圧器の二次側単相巻線の２端子と前記二次側単相巻線の２端子の定格電圧よりも低い単相電圧を供給できる他の回路の対応する２相との間に、前記スコット結線変圧器の運転停止中に前記スコット結線変圧器に前記他の回路から単相低圧電圧を一時的に印加するように開閉操作される開閉器、
を備えたことを特徴とする変圧器の励磁突入電流低減回路。
【請求項７】
単相変圧器を含む電力供給回路において、
前記単相変圧器の２端子と前記２端子の定格電圧よりも低い単相電圧を供給できる他の回路の対応する２相との間に、前記単相変圧器の運転停止中に前記単相変圧器に前記他の回路から単相低圧電圧を一時的に印加するように開閉操作される開閉器、
を備えたことを特徴とする変圧器の励磁突入電流低減回路。
【手続補正２】
【補正対象書類名】明細書
【補正対象項目名】００１５
【補正方法】変更
【補正の内容】
【００１５】
【課題を解決するための手段】
上記の目的を達成するために、この発明にかかる変圧器の励磁突入電流低減回路は、三
相変圧器を含む電力供給回路において、前記変圧器の２端子と前記２端子の定格電圧より
も低い単相電圧を供給できる他の回路の対応する２相との間に、前記変圧器の運転停止中
に前記変圧器に前記他の回路から単相低圧電圧を一時的に印加するように開閉操作される
開閉器を備えたことを特徴とする。
【手続補正３】
【補正対象書類名】明細書
【補正対象項目名】００３１
【補正方法】変更
【補正の内容】
【００３１】
次に、図３では、三相高圧断路器１７の一方の端子は、高圧側三相配線１５を介して、
Ｙ／Δ結線の三相変圧器１６の一次側と三相高圧断路器６の他方の端子とを接続するＵ相
，Ｖ相，Ｗ相の各相にそれぞれ接続されている。三相高圧断路器１７の他方の端子は、例
えばＵ端子とＷ端子とが短絡線２３によって接続され、Ｖ端子と短絡された２端子の一方
であるＷ端子とが低圧側単相配線２０を介して、常時課電される低圧側三相配線１４のＶ
相，Ｗ相に接続されることが示されている。
【手続補正４】
【補正対象書類名】明細書
【補正対象項目名】００３２
【補正方法】変更
【補正の内容】
【００３２】
図１、図３を参照して、三相変圧器１６の負荷が無くなり三相変圧器１６を高圧回路か
ら切り離し、再課電するまでの操作手順を説明する。三相変圧器１６の負荷が無くなった
ので、まず、三相高圧断路器６を開にする。次に、三相高圧断路器６が開であることを確
認して三相高圧断路器１７を一定期間閉にし、三相高圧断路器１７を介して高圧側三相配
線１５と低圧側単相配線２０とを接続する。その結果、低圧側三相配線１４の低圧２１０
Ｖの単相電圧が三相変圧器１６の一次側のＶ相，Ｗ相の２端子間に印加される。次に、三
相高圧断路器１７を開にして三相変圧器１６を無励磁状態とする。その後、三相変圧器１
６の負荷に電力を供給する必要時に三相高圧断路器６を投入して三相変圧器１６に高圧電
圧６６００Ｖを印加する。
【手続補正５】
【補正対象書類名】明細書
【補正対象項目名】００３７
【補正方法】変更
【補正の内容】
【００３７】
具体的に説明する。上記式（２）を求めたのと同じ条件で、図３に示すこの実施の形態
１による突入電流低減回路を適用した場合の最大励磁突流と従来の電力供給回路における
三相変圧器の最大励磁突流との比を前記式（１）式から求めると、
（２×１．７＋０．９×１．７×（２１０×２÷３）／（６６００÷√３）−２）÷（
２×１．７＋０．９×１．７−２）＝０．５０      ・・・（３）
となり、従来方法に対して約半分に低減できることが解る。また、変圧器巻線に働く電磁
機械力は、電流の二乗に比例するので、約１／４に低減できることも解る。
【手続補正６】
【補正対象書類名】明細書
【補正対象項目名】００３９
【補正方法】変更
【補正の内容】
【００３９】
（２×１．７＋０．９×１．７×（１０５×２÷３）／（４２０÷√３）−２）÷（
２×１．７＋０．９×１．７−２）＝０．６３      ・・・（４）
この場合には、三相高圧断路器１７は低圧用で良く、またΔ／Ｙ結線（６６００／４２０
Ｖ）の三相変圧器への配線も低圧電線で済むので、価格的により安価に構成できる利点が
ある。
【手続補正７】
【補正対象書類名】明細書
【補正対象項目名】００４０
【補正方法】変更
【補正の内容】
【００４０】
このように、実施の形態１によれば、三相高圧電源の電圧を三相低圧電圧に変換し三相
負荷に課電する第１配電回路と第２配電回路のうち、第１配電回路が単相負荷に常時課電
し、第２配電回路が三相負荷への課電を休止することがある場合に、前記第２配電回路に
含まれる三相変圧器と前記第１配電回路の三相低圧電圧出力側との間に開閉器を設け、前
記三相変圧器の運転停止中に、前記三相変圧器にその定格電圧よりも低い単相電圧を前記
第１配電回路から供給して低減励磁を行うようにしたので、前記三相変圧器の運転再開時
に発生する励磁突入電流を大幅に低減することができる。
【手続補正８】
【補正対象書類名】明細書
【補正対象項目名】００４２
【補正方法】変更
【補正の内容】
【００４２】
また、三相変圧器に与えるダメージを大幅に減らすことができるので、励磁突入電流低
減変圧器を設けるなど特別の措置を講ずることなく当該三相変圧器が無負荷になるときは
回路から切り離すことができる。その結果、三相変圧器から発生する無駄な無負荷損をゼ
ロにすることができ、標準変圧器や既設の変圧器でも大きな省エネルギー効果が得られる
。
【手続補正９】
【補正対象書類名】明細書
【補正対象項目名】００５５
【補正方法】変更
【補正の内容】
【００５５】
このように、実施の形態２によれば、三相高圧電源の電圧を三相低圧電圧に変換し三相
負荷に課電する第１配電回路と第２配電回路のうち、第１配電回路が三相負荷に常時課電
し、第２配電回路が三相負荷への課電を休止することがある場合に、前記第２配電回路に
含まれるスコット結線変圧器の三相側と前記第１配電回路の三相低圧電圧出力側との間に
開閉器を設け、前記スコット結線変圧器の運転停止中に、前記スコット結線変圧器にその
定格電圧よりも低い三相電圧を前記第１配電回路から供給して低減励磁を行うようにした
ので、前記スコット結線変圧器の運転再開時に発生する励磁突入電流を大幅に低減するこ
とができる。したがって、実施の形態１と同様の作用・効果がえられる。
【手続補正１０】
【補正対象書類名】明細書
【補正対象項目名】００６０
【補正方法】変更
【補正の内容】
【００６０】
以上の構成において、６６００Ｖの三相高圧電源１から供給された高圧電力は、三相遮
断器２を出た後３分岐される。一つは、高圧配線３、三相高圧断路器４、高圧側三相配線
７を通った後、スコット結線変圧器２５にて単相低圧電圧２１０Ｖ−１０５Ｖに変圧され
、低圧側単三配線２６を通って負荷に供給されている。もう一つは、高圧側単相配線２７
、単相高圧断路器２９、高圧側単相配線３１を通った後に、単相三線式変圧器３２にて単
相低圧電圧２１０Ｖ−１０５Ｖに変圧され、低圧側単三配線３３を通って負荷に供給され
ている。さらにもう一つは、高圧側単相配線２８、単相高圧断路器３０、高圧側単相配線
３７を通った後に、単相三線式変圧器３８にて単相低圧電圧２１０Ｖ−１０５Ｖに変圧さ
れ、低圧側単相配線３９を通って負荷に供給されている。
【手続補正１１】
【補正対象書類名】明細書
【補正対象項目名】００６３
【補正方法】変更
【補正の内容】
【００６３】
図７では、スコット結線変圧器２５の一次側（三相側）は、高圧側三相配線７のＵ相，
Ｖ相，Ｗ相の各相に接続され、二次側（単相巻線側）は、低圧側単相配線３６、単相低圧
断路器３５、低圧側単相配線３４を介して常時課電されている低圧側単三配線３３に接続
されることが示されている。ここに、スコット結線変圧器２５の二次側（単相巻線側）の
定格電圧は単相低圧電圧２１０Ｖであり、低圧側単三配線３３の電圧は単相低圧電圧１０
５Ｖである。
【手続補正１２】
【補正対象書類名】明細書
【補正対象項目名】００７８
【補正方法】変更
【補正の内容】
【００７８】
【発明の効果】
以上説明したように、この発明によれば、三相変圧器を含む電力供給回路において、前
記変圧器の２端子と前記２端子の定格電圧よりも低い単相電圧を供給できる他の回路の対
応する２相との間に、前記変圧器の運転停止中に前記変圧器に前記他の回路から単相低圧
電圧を一時的に印加するように開閉操作される開閉器を設け、前記変圧器を低減励磁する
ようにしたので、運転再開時に発生する励磁突入電流を大幅に低減することができる。
【手続補正１３】
【補正対象書類名】明細書
【補正対象項目名】符号の説明
【補正方法】変更
【補正の内容】
【符号の説明】
１  三相高圧電源、２  三相遮断器、３，７，１５  高圧側三相配線、４，５，６，１
７  三相高圧断路器、８  Δ／Ｙ結線の三相変圧器、９，２７，２８，３７  高圧側単相
配線、１０，２９，３０  単相高圧断路器、１１，１４，１８ 低圧側三相配線、１２  
高圧側三相配線、１３  Δ／Δ結線の変圧器、１６  Ｙ／Δ結線の変圧器、１９，２０，
３４，３６，４０，４２  低圧側単相配線、２３  短絡線、２５  スコット結線変圧器、
２６，３３，３９  低圧側単三配線、３１  高圧側単相配線、３２，３８  単相三線式変
圧器、３５，４１  単相低圧断路器。
【手続補正１４】
【補正対象書類名】図面
【補正対象項目名】図１
【補正方法】変更
【補正の内容】
【図１】
2004153932.tif 000001
【手続補正１５】
【補正対象書類名】図面
【補正対象項目名】図４
【補正方法】変更
【補正の内容】
【図４】
2004153932.tif 000002